【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
第１のネットワークと第２のネットワークとを含むネットワークシステムであって、
第１のネットワークは、
監視対象となるユーザシステムと、
前記ユーザシステムを監視する監視サーバと、
第１および第２の送信装置とを有し、
前記第２のネットワークは、
第１および第２の受信装置と、
監視センタと、を有し、
前記監視サーバが、
前記ユーザシステムの監視結果を示すユーザシステム監視結果情報を前記各送信装置に出力する第１の監視結果出力手段、を有し、
前記複数の送信装置各々は、
ステータス情報記憶手段と、
前記第１および第２の受信装置の動作状態を監視して、前記各受信装置の動作状態が正常であるか否かを示す監視結果情報を前記ステータス情報記憶手段に記憶させる監視手段と、
前記出力されたユーザシステム監視結果情報が入力される第１の監視結果受付手段と、
前記ステータス情報記憶手段内の監視結果情報から、前記複数の受信装置のうち動作状態が正常であるものを選択する選択手段と、
前記ユーザシステム監視結果情報、及び、自己の識別情報を、前記選択した受信装置に出力する第２の監視結果出力手段と、を有し、
前記複数の受信装置各々は、
前記出力されたユーザシステム監視結果情報及び識別情報が入力される第２の監視結果受付手段と、
前記入力されたユーザシステム監視結果情報及び識別情報と、自己の識別情報とを、前記監視センタに出力する第３の監視結果出力手段と、を有すること
を特徴とするネットワークシステム。
【請求項２】
第１のネットワークと第２のネットワークとを含むネットワークシステムであって、
第１のネットワークは、
監視対象となるユーザシステムと、
前記ユーザシステムを監視する監視サーバと、
第１および第２の送信装置とを有し、
前記第２のネットワークは、
第１および第２の受信装置と、
第１および第１の監視センタと、を有し、
前記監視サーバが、
前記ユーザシステムの監視結果を示すユーザシステム監視結果情報を前記各送信装置に出力する第１の監視結果出力手段、を有し、
前記複数の送信装置各々は、
第１のステータス情報記憶手段と、
前記第１および第２の受信装置の動作状態を監視して、前記各受信装置の動作状態が正常であるか否かを示す監視結果情報を前記第１のステータス情報記憶手段に記憶させる第１の監視手段と、
前記出力されたユーザシステム監視結果情報が入力される第１の監視結果受付手段と、
前記第１のステータス情報記憶手段内の監視結果情報から、前記複数の受信装置のうち動作状態が正常であるものを選択する第１の選択手段と、
前記ユーザシステム監視結果情報、及び、自己の識別情報を、前記選択した受信装置に出力する第２の監視結果出力手段と、を有し、
前記複数の受信装置各々は、
第２のステータス情報記憶手段と、
前記第１および第２の監視センタの動作状態を監視して、前記各監視センタの動作状態が正常であるか否かを示す監視結果情報を前記第２のステータス情報記憶手段に記憶させる第２の監視手段と、
前記出力されたユーザシステム監視結果情報及び識別情報が入力される第２の監視結果受付手段と、
前記第２のステータス情報記憶手段内の監視結果情報から、前記複数の監視センタのうち動作状態が正常であるものを選択する第２の選択手段と、
前記入力されたユーザシステム監視結果情報及び識別情報と、自己の識別情報とを、前記選択した監視センタに出力する第３の監視結果出力手段と、を有すること
を特徴とするネットワークシステム。
【請求項３】
請求項２記載のネットワークシステムであって、
前記複数の受信装置各々は、
前記第１および第２の送信装置の動作状態を監視して、前記各送信装置の動作状態が正常であるか否かを示す監視結果情報を前記第２のステータス情報記憶手段に記憶させる第３の監視手段と、
前記第２のステータス情報記憶手段内の前記各送信装置の監視結果情報が、前記第１および第２の送信装置の両方の動作状態が異常であることを示す場合、前記各監視センタのうち何れか１つ又は両方に、前記第１および第２の送信装置の両方の動作状態が異常であることを通知する情報を出力する異常通知手段と、をさらに有すること
を特徴とするネットワークシステム。
【請求項４】
第１のネットワークと第２のネットワークとを含むネットワークシステムであって、
第１のネットワークは、
監視対象となるユーザシステムと、
前記ユーザシステムを監視する監視サーバと、
第１および第２の送信装置とを有し、
前記第２のネットワークは、
第１および第２の受信装置と、
監視センタと、を有し、
前記監視サーバが、
前記ユーザシステムの監視結果を示すユーザシステム監視結果情報を前記各送信装置に出力する第１の監視結果出力手段、を有し、
前記複数の送信装置各々は、
ステータス情報記憶手段と、
前記第１および第２の受信装置の動作状態を監視して、前記各受信装置の動作状態が正常であるか否かを示す監視結果情報を前記ステータス情報記憶手段に記憶させる監視手段と、
前記出力されたユーザシステム監視結果情報が入力される第１の監視結果受付手段と、
前記ステータス情報記憶手段内の監視結果情報から、前記複数の受信装置のうち動作状態が正常であるものを選択する選択手段と、
前記ユーザシステム監視結果情報を、前記第１のネットワークから前記第２のネットワークへ情報を送信するためのプロトコルに変換する第１の変換手段と、
前記変換されたユーザシステム監視結果情報、及び、自己の識別情報を、前記選択した受信装置に出力する第２の監視結果出力手段と、を有し、
前記複数の受信装置各々は、
前記出力されたユーザシステム監視結果情報及び識別情報が入力される第２の監視結果受付手段と、
前記入力されたユーザシステム監視結果情報を、前記第２のネットワーク内で通信するためのプロトコルに変換する第２の変換手段と、
前記変換されたユーザシステム監視結果情報と、前記入力された識別情報と、自己の識別情報とを、前記監視センタに出力する第３の監視結果出力手段と、を有すること
を特徴とするネットワークシステム。
【請求項５】
請求項１乃至４何れか１つに記載のネットワークシステムであって、
前記監視サーバの前記第１の監視結果出力手段が、
前記ユーザシステムの監視結果を示すユーザシステム監視結果情報を前記各送信装置のうち何れか１つに出力し、
前記複数の送信装置各々が、
前記ユーザシステム監視結果情報、及び、自己の識別情報を、前記選択した受信装置に出力した場合、前記監視サーバに、該ユーザシステム監視結果情報を出力したことを示す結果通知情報を出力する結果通知手段、をさらに有し、
前記監視サーバの前記第１の監視結果出力手段が、
前記結果通知情報が入力されない場合、前記ユーザシステム監視結果情報を出力してない他の送信装置に、該ユーザシステム監視結果情報を出力すること
を特徴とするネットワークシステム。
【請求項６】
請求項１乃至５何れか１つに記載のネットワークシステムであって、
第１のネットワークは、第１のプロトコルを用いて通信可能であり、
第２のネットワークは、第２のプロトコルを用いて通信可能であり、
第１および第２の送信装置から第１および第２の受信装置への情報転送は、前記第１および第２のプロトコルのいずれとも異なる第３のプロトコルを用いて行われることを特徴とするネットワークシステム。
【手続補正２】
【補正対象書類名】明細書
【補正対象項目名】０００８
【補正方法】変更
【補正の内容】
【０００８】
本発明は第１のネットワークと第２のネットワークとを含むネットワークシステムであって、第１のネットワークは、監視対象となるユーザシステムと、前記ユーザシステムを監視する監視サーバと、第１および第２の送信装置とを有し、前記第２のネットワークは、第１および第２の受信装置と、監視センタと、を有し、前記監視サーバが、前記ユーザシステムの監視結果を示すユーザシステム監視結果情報を前記各送信装置に出力する第１の監視結果出力手段、を有し、前記複数の送信装置各々は、ステータス情報記憶手段と、前記第１および第２の受信装置の動作状態を監視して、前記各受信装置の動作状態が正常であるか否かを示す監視結果情報を前記ステータス情報記憶手段に記憶させる監視手段と、前記出力されたユーザシステム監視結果情報が入力される第１の監視結果受付手段と、前記ステータス情報記憶手段内の監視結果情報から、前記複数の受信装置のうち動作状態が正常であるものを選択する選択手段と、前記ユーザシステム監視結果情報、及び、自己の識別情報を、前記選択した受信装置に出力する第２の監視結果出力手段と、を有し、前記複数の受信装置各々は、前記出力されたユーザシステム監視結果情報及び識別情報が入力される第２の監視結果受付手段と、前記入力されたユーザシステム監視結果情報及び識別情報と、自己の識別情報とを、前記監視センタに出力する第３の監視結果出力手段と、を有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】